(57)【要約】【課題】  冷却ファンユニットを被服の収納部に収納しても、その部分が不必要に張り出すことがなく、被服のラインを崩すことなく、デザイン性に優れた冷却ファンユニットの収納構造を提供する。【解決手段】空気取入口から空気排出口へ空気を流通させるファン本体11を有する冷却ファンユニット10を、被服に収納するための冷却ファンユニット収納部構造であって、前記冷却ファンユニット10の前記空気取入口を挿入する開口部１ａが形成された表生地１と、前記冷却ファンユニット10の空気排出口からの空気を前記被服の内側に取り込む空気取り込み部２ａが形成された裏生地２とを重ねることによって形成された収納部Ａと、前記被服の表面に平らに連続する、前記収納部Ａの上縁部と下縁部に形成されるフラット部３ａと、前記収納部Ａの左縁部と右縁部に形成されるマチ部３ｂと、を有する。【選択図】図３
0003235048.tif 000002
【実用新案登録請求の範囲】
【請求項１】
空気取入口から空気排出口へ空気を流通させるファン本体を有する冷却ファンユニットを、被服に収納するための冷却ファンユニット収納部構造であって、
前記冷却ファンユニットの前記空気取入口を挿入する開口部が形成された表生地と、前記冷却ファンユニットの空気排出口からの空気を前記被服の内側に取り込む空気取り込み部が形成された裏生地とを重ねることによって形成された収納部と、
前記被服の表面に平らに連続する、前記収納部の上縁部と下縁部に形成されるフラット部と、
前記収納部の左縁部と右縁部に形成されるマチ部と、を有することを特徴とする被服の冷却ファンユニット収納構造。
【請求項２】
請求項１記載の被服の冷却ファンユニット収納構造であって、前記マチ部は前記収納部の左端及び右端から前記収納部内側の位置で、前記表生地を折り返すことで形成されることを特徴とする被服の冷却ファンユニット収納構造。
【請求項３】
請求項１または２のいずれか記載の被服の冷却ファンユニット収納構造であって、
前記冷却ファンユニットは、前記ファン本体の下方あるいは上方に装着する、前記ファン本体より左右幅が小さい着脱式のバッテリーを有し、前記冷却ファンユニットを前記収納部に収納した状態で、前記バッテリーの左右側面に対向する部分には前記マチ部を形成せず、前記ファン本体の左右側面に対向する部分にのみマチ部を形成したことを特徴とする請求項１または２のいずれか記載の被服の冷却ファンユニット収納構造。
【請求項４】
請求項１乃至３のいずれか記載の被服の冷却ファンユニット収納構造であって、
前記収納部の下縁部の前記フラット部に、前記収納部を開放することができるファスナーを設けたことを特徴とする被服の冷却ファンユニット収納構造。
【請求項５】
請求項４記載の被服の冷却ファンユニット収納構造であって、
前記収納部の上縁部の前記フラット部に、前記収納部を開放することができるファスナーを設けたことを特徴とする被服の冷却ファンユニット収納構造。
【請求項６】
請求項１乃至５のいずれか記載の被服の冷却ファンユニット収納構造であって、
該冷却ファンユニット収納構造は、ズボンの側面に形成されることを特徴とする被服の冷却ファンユニット収納構造。
【考案の詳細な説明】
【技術分野】
【０００１】
本考案は、冷却ファンユニットを収納しても、外側に大きく張り出すことのない被服における収納構造に関する。
【背景技術】
【０００２】
近年、冷却ファンユニットを被服に取り付け、外気を被服内に強制的に取り込んで、装着者の体温を適切に保つ空調被服が広く普及している。被服にポケット型の収納部を形成し、この収納部に冷却ファンユニットを収納する構造も、以下の先行文献に開示されている。
【先行技術文献】
【特許文献】
【０００３】
【特許文献１】実用新案登録第3221448号公報
【０００４】
上記特許文献１には、ズボンの四方の側面にマチを有するポケット型の収納部を構成して、ここに冷却ファンユニットの空気取り入れ口が外に開口する構造が開示されている。
【０００５】
冷却ファンは、回転ファンに駆動モーターを重ねて構成しているため、それぞれの厚みが重なることで全体として3cm程度の厚さを有している。そのため、一般に収納部はこの厚みをカバーするため周囲にマチを形成して、カーゴパンツのポケットのようにズボンから張り出す形状となり、スリムな輪郭線を実現することが難しいという問題があった。
【０００６】
また、近年、ファン本体にバッテリー部をカセット式に一体に取り付けた電源一体型冷却ファンが現れているが、これを収納しようとすると、大型化した冷却ファンユニットに合わせて収納部も大きくなり、マチにより張り出す容積も大きくなる。このため、さらにズボンをはじめ被服のアウトラインを崩すことになるため、収納部の張り出し抑制はより解決が望まれる問題となっている。
【考案の概要】
【考案が解決しようとする課題】
【０００７】
そこで、本考案の目的は、冷却ファンユニットを被服の収納部に収納しても、その部分が不必要に張り出すことがなく、被服のアウトラインを崩すことなく、デザイン性に優れた冷却ファンユニットの収納構造を提供することにある。
【課題を解決するための手段】
【０００８】
上記目的を達成するため、本考案の代表的な冷却ファンユニットの収納構造は、空気取入口から空気排出口へ空気を流通させるファン本体を有する冷却ファンユニットを、被服に収納するための冷却ファンユニット収納部構造であって、前記冷却ファンユニットの前記空気取入口を挿入する開口部が形成された表生地と、前記冷却ファンユニットの空気排出口からの空気を前記被服の内側に取り込む空気取り込み部が形成された裏生地とを重ねることによって形成された収納部と、前記被服の表面に平らに連続する、前記収納部の上縁部と下縁部に形成されるフラット部と、前記収納部の左縁部と右縁部に形成されるマチ部と、を有することを特徴とする。
【０００９】
また、特に、前記マチ部は前記収納部の左端及び右端から収納部内側の位置で、前記表生地を折り返すことによって形成することもできる。
【００１０】
さらに、前記冷却ファンユニットが前記ファン本体の下方あるいは上方に装着する、前記ファン本体より左右幅の小さい着脱式のバッテリーを有し、前記冷却ファンユニットを前記収納部に収納した状態で、前記バッテリーの左右側面に対向する部分には前記マチ部を形成せず、前記ファン本体の左右側面に対向する部分にのみ前記マチ部を形成することもできる。
【考案の効果】
【００１１】
本考案の被服の冷却ファンユニット収納構造によれば、冷却ファンユニットを収納した際、収納部の上縁部及び下縁部を被服表面に対して平滑なフラット部とし、収納部の左縁部及び右縁部にマチ部を設けることで、冷却ファンユニットの収納部を被服表面から大きく張り出すことを抑制することができ、被服のラインを崩すことのない、デザイン性に富む被服を提供することができる。
【００１２】
また、収納部の左縁部及び右縁部に形成されるマチ部を、収納部の右端及び左端から内側に入った位置で表生地に形成することで、マチ部による収納部の張り出し形状をなだらかなものにすることができる。
【００１３】
さらに、冷却ファンユニットが着脱式のバッテリーを有する場合は、冷却ファンユニットを収納部に収納した状態で、前記バッテリーの左右側面に対向する部分には前記マチ部を形成しないことで、ファン部よりも下側に配置されるバッテリー部が、マチ部を有さない収納部下部の左右で位置決めされ、冷却ファンユニットは収容部内で安定して保持される。
【図面の簡単な説明】
【００１４】
【図１】本考案の第一実施形態に係る冷却ファンユニットの収納構造を有するズボンの側面図。
【図２】同冷却ファンユニットの収納構造の斜視図。
【図３】同冷却ファンユニットの収納構造への冷却ファンユニットの取付方法の説明図。
【考案を実施するための形態】
【００１５】
（実施形態）
本考案に係る冷却ファンユニットの収納構造の一実施形態を、図１及び図２を用いて説明する。本実施形態は、同冷却ファンユニットの収納部構造をズボンに応用したものである。
【００１６】
図１は示すように、本実施形態の、冷却ファンユニット10を収納する収納部構造の収容部Aは、ズボン50の両側面、前身頃51と後身頃52の接合線53を跨いで両身頃51、52に形成される。
【００１７】
本実施形態の収納部構造は、冷却ファンユニット10を内側に収納する空間であって、表生地１と裏生地２を重ね合わせることによって、収納部Aを形成している。この収納部Aの上縁部及び下縁部では表生地１と裏生地２とはマチを形成せずに縫合されて、張り出し部３にフラット部３ａ，３ａが形成されており、一方、収納部Ａの左縁及び右縁にはマチ部３ｂ，３ｂが形成されている。
【００１８】
このマチ部３ｂ，３ｂは、表生地１と裏生地２が縫合された張り出し部３の左端及び右端からそれぞれ所定距離３ｗ（5mm至10mm度が好適である）内側に入った位置で、表生地１を折り返して形成しており、マチ部３ｂ，３ｂが開いた場合であっても、その張り出しはなだらかに傾斜する構造となっている。
【００１９】
このように、表生地１と裏生地２とは上下左右の縁部を縫合することで袋状の空間となり、表生地１の上縁部と下縁部にそれぞれ上ファスナー４と下ファスナー５を設けることにより、いずれかのファスナー４，５の摘み４a、５aを引っ張って開口４ｂ，５ｂとすることで、ここから冷却ファンユニット10を差し込んで収納する構造となっている。
【００２０】
ここで、冷却ファンユニット10は、空気を一方向から他方向に向かう気流を生じさせるためのファン本体部11と、ファン本体11に取り付けてファンに装着者の手が接触しないように保護するファンカバー12と、さらにファン本体11の下部に着脱自在に装着するバッテリー13とからなる。
【００２１】
ファン本体11とファンカバー12は、ファン本体11の空気取入口11ａの内周面に形成されたネジ部11ｂとファンカバー13の周側面に形成されたネジ部12ｂとを螺合させることで着脱可能に構成されている。
【００２２】
収納部Aの表生地１には円形の開口部１ａが形成されており、この開口部１ａとファン本体11の空気取入口11ａとの位置を合わせて、ファンカバー12を螺合させることで、表生地１の開口部１ａの周縁部が、ファン本体11とファンカバー12のフランジ部12ｂとに挟まれ、冷却ファンユニット10は収容構造Ａの内側に収納された状態で固定される。
【００２３】
上述したように、収納部Aの左右縁部にはマチ部３ａ，３ａが形成されるが、左右縁部の全長に亘ってマチ部３ａが形成されるわけではなく、その上下はマチとして開かないように表生地１と裏生地とを縫い合わせ、上部縫合部６ａ，６ａ、及び下部縫合部６ｂ，６ｂが形成されている。
【００２４】
これら縫合部６ａ，６ｂが冷却ファンユニット10を収納部Aに収納した際に四方を抑えることができるために、空調ファンユニット10が収納部A内で自由に動いてしまうことを防止する。
【００２５】
また、収納部Aの裏生地２には、ズボン50の内側にファン本体11からの空気を取り込む空気取り込み部としてのメッシュ窓２ａが取り付けられており、冷却ファンユニット10を収納部Aに収納した場合はファン本体11の裏面がメッシュ窓２ａに対向する。この状態で、冷却ファンユニット10を作動させると、ファンカバー12を通してズボン50の外から流入した空気がメッシュ窓２ａを通って、ズボン50の内部に取り入れられる。
【００２６】
図３を用いて、本実施形態の収納部構造の作用効果を説明する。図３(ａ)は冷却ファンユニットを収納した状態での収納部構造の側断面図であり、図３(ｂ)は収納部構造の斜視図である。
【００２７】
これら図に示すように、冷却ファンユニット10は、上下ファスナー４，５のいずれかを開いて、収納部Ａに挿入した後、収納部Ａの表生地１の開口部１ａに、ファン本体11の空気取り入れ口がズボン50の外側に露出するようにファンカバー12を取り付けて固定する。
【００２８】
この際、冷却ファンユニット10のファン本体11の位置に対応する位置で、収納部Ａの左右縁部のマチ部３ｂ，３ｂが広がるのに対して、収納部Ａの上下縁部のフラット部３ａ、３ａはなだらかにズボン50の表面に連続するため、冷却ファンユニット10を収納部Ａに挿入しても、大きく膨らむことはない。
【００２９】
特に、収納部Ａの下部縫合部６ｂ，６ｂがあることで、下ファスナー５を閉じた下縁のフラット部３ａとともに、マチ部３ｂ，３ｂが広がらないコの字状のポケット空間を形成する。冷却ファンユニット10の寸法においてバッテリー13の幅13ｗはファン本体11の幅11ｗより狭いため、マチ部３ｂが広がらなくても、バッテリー13がこのコの字状のポケット空間に収まることになる。
【００３０】
すなわち、本実施形態の収納部Ａでは、バッテリー13の側面に対向する左右縁部にマチ部３ｂを有さないことで、収納部Ａの内側でバッテリー13が動かないように位置決めすることができる。
【００３１】
なお、バッテリー13はファン本体11に対して着脱式であるが、冷却ファンユニット10全体を収納部Ａから取り外さなくとも、下ファスナー５を開くことで、バッテリー13を着脱して交換することができる。
【００３２】
以上のように、本実施形態の収納部構造によれば、収納部Ａの上下縁部を、マチを形成しないフラット部３ａ、３ａとし、また、収納部Ａの左右縁部のマチ部３ｂ，３ｂを収納部Ａの左右端から所定距離を置いて形成したので、冷却ファンユニット10を収納部Ａに収納しても収納部Ａは外側への張り出しが緩やかになり、ズボン50の輪郭を損なうことがなく、デザイン性に優れた収納部構造とすることができる。
【００３３】
（他の実施形態）
本実施形態は、収納部Ａの上下縁部に、２つのファスナー４，５を設けたが、どちらか一方のみを取り付けた構造であってもよい。また、本実施形態では、裏生地２はズボン50とは別の生地としてこれを前身頃51と後身頃52との間に組み付けているが、ズボン50そのものの生地であってもよい。
【００３４】
また、本実施形態では、冷却ファンユニット10の構造はバッテリー一体型の例を示したが、バッテリーの着脱位置はファン本体の上部であってもよく、バッテリーを被服の別の位置に配置し、電源コードで接続するタイプでもよい。
【００３５】
さらに、本考案の収納部構造をズボン50に応用した例を示したが、オーバーオールやツナギなどにも応用することができ、さらに、ジャケットやジャンパーといった上衣の、冷却ファンユニットの収納部構造に応用することができるのはもちろんである。
【符号の説明】
【００３６】
Ａ  収納部
１  表生地
１ａ  開口部
２  裏生地
２ａ  空気取り込み部（メッシュ窓）
３  張り出し部
３ａ  フラット部
３ｂ  マチ部
４，５  ファスナー
６ａ  上部縫合部
６ｂ  下部縫合部
10  冷却ファンユニット
11  ファン本体
12  ファンカバー
13  バッテリー
50  ズボン
【図１】
0003235048.tif 000003
【図２】
0003235048.tif 000004
【図３】
0003235048.tif 000005